(57)【要約】      （修正有）【課題】プローブカバーを保存し、かつその保存されたプローブカバーを後で利用者が片手で使用できるように保持することが容易にはできない。【解決手段】プローブカバーディスペンサー３００の典型的実施例は、積層されたプローブカバー３３４を収容する保存部、及び積層されたプローブカバー３３４のうちの１つを保持又は解放する一対の支持アームを備えた保持ユニットを有する。スライドが保持ユニット４９０に接続する。凸部及び凹部を備えた接続棒が、スライド可能な接触部に接続する。接続棒は上方又は下方へ動き、かつ前記凸部又は凹部は、スライドに相当する位置へ移動することで、保存部内に積層されたプローブカバー３３４のうちの１つを解放又は保持する支持アームを押す又は引く力が印加される。それと同時にスライド可能な接触部は上方又は下方へ動く。【選択図】図５
2010155069.tif 000002
【特許請求の範囲】
【請求項１】
積層されたプローブカバーを収容する保存部、
前記積層されたプローブカバーのうちの上側の１つを保持又は解放する一対の支持アームを備えた上部保持ユニット、
前記上部保持ユニットと接続する上部スライド、及び
上側凸部と該上側凸部の下に位置する凹部を備えて、スライド可能な接触部と接続する接続棒、
を有するプローブカバーディスペンサーであって、
前記接続棒は上方又は下方へ移動し、かつ前記上側凸部又は凹部は、前記上部スライドに相当する位置へ移動することで、上側支持アームを押す又は引く力が印加されることで、前記積層されたプローブカバーのうちの上側の１つを解放するか、又は前記の保存部内に積層されたプローブカバーのうちの上側の１つを保持し、同時に前記スライド可能な接触部が上方又は下方へ移動する、
プローブカバーディスペンサー。
【請求項２】
プローブカバーと接触するための第１開口部と前記積層されたプローブカバーを収容するための第２開口部を備えたスライド可能な接触部、
前記積層されたプローブカバーのうちの下側の１つを解放又は保持する一対の支持アームを備えた下部保持ユニット、及び、
前記下部保持ユニットと接続する下部スライド、
を有するプローブカバーディスペンサーであって、
前記接続棒は上方又は下方へ移動し、かつ前記下側凸部又は凹部は、前記下部スライドに相当する位置へ移動することで、下側支持アームを押す又は引く力が印加されることで、前記積層されたプローブカバーのうちの下側の１つを解放して前記第２開口部から前記第１開口部へ落とすか、又は前記の保存部内に積層されたプローブカバーのうちの下側の１つを保持し、同時に前記スライド可能な接触部が上方又は下方へ移動する、
請求項１に記載のプローブカバーディスペンサー。
【請求項３】
前記第１開口部と第２開口部との間にスライドチャネルをさらに有するプローブカバーディスペンサーであって、前記積層されたプローブカバーのうちの下側の１つが、前記スライドチャネルを介して前記第２開口部から前記第１開口部へ落ち込む、請求項２に記載のプローブカバーディスペンサー。
【請求項４】
前記スライド可能な接触部の下に位置する第１バネをさらに有する、請求項３に記載のプローブカバーディスペンサー。
【請求項５】
前記上部スライドと下部スライドが、格納容器内に設けられたスペーサ板と底部基盤に沿って可動である、請求項４に記載のプローブカバーディスペンサー。
【請求項６】
前記上部スライドと下部スライドが、一対の位置合わせピンを介して前記上部保持ユニットと下部保持ユニットと接続して、上部Ｙ字形状接続構造と下部Ｙ字形状接続構造を形成する、請求項５に記載のプローブカバーディスペンサー。
【請求項７】
前記スライド可能な接触部と接続する接続棒の端部と接続する第２バネをさらに有する、請求項６に記載のプローブカバーディスペンサー。
【請求項８】
プローブカバーと接触するための第１開口部を備えたスライド可能な接触部、
積層されたプローブカバーを収容するための第２開口部を備えた保存部、
前記積層されたプローブカバーのうちの上側の１つを保持又は解放する一対の上部支持アームを備えた上部保持ユニット、
該上部保持ユニットと接続する上部スライド、
前記積層されたプローブカバーのうちの下側の１つを保持又は解放する一対の下部支持アームを備えた下部保持ユニット、
該下部保持ユニットと接続する下部スライド、並びに、
上側凸部、下側凸部、及び該上側凸部と下側凸部との間に設けられた凹部を備えて、前記スライド可能な接触部と接続する接続棒、
を有するプローブカバーディスペンサーであって、
前記接続棒は上方へ移動し、かつ前記凹部が前記上部スライドに相当する位置へ移動することで、上側支持アームを引く力が印加されることで、前記の保存部内に積層されたプローブカバーのうちの上側の１つを保持し、かつ
前記下側凸部が前記下部スライドに相当する位置へ移動することで、下側支持アームを押す力が印加されることで、前記積層されたプローブカバーのうちの下側の１つを解放して、前記第２開口部から前記第１開口部へ落とし、
同時に前記スライド可能な接触部が該接触部の元の位置へ向かって上方へ移動する、
プローブカバーディスペンサー。
【請求項９】
前記接続棒は下方へ移動し、かつ前記上側凸部が前記上部スライドに相当する位置へ移動することで、上側支持アームを押す力が印加されることで、前記の保存部内に積層されたプローブカバーのうちの上側の１つを解放し、かつ
前記凹部が前記下部スライドに相当する位置へ移動することで、下側支持アームを引く力が印加されることで、前記積層されたプローブカバーのうちの上側の１つを保持し、
同時に前記スライド可能な接触部が下方へ移動する、
請求項８に記載のプローブカバーディスペンサー。
【請求項１０】
プローブカバーと接触するための第１開口部を備えたスライド可能な接触部、
積層されたプローブカバーを収容するための第２開口部を備えた保存部、
前記積層されたプローブカバーのうちの１つを保持又は解放する一対の支持アームを備えた保持ユニット、
該保持ユニットと接続するスライド、並びに、
凸部及び凹部を備えて、前記スライド可能な接触部と接続する接続棒、
を有するプローブカバーディスペンサーであって、
前記接続棒は上方又は下方へ移動し、かつ前記凸部又は凹部が前記スライドに相当する位置へ移動することで、上側支持アームを引く力が印加されることで、前記の保存部内に積層されたプローブカバーのうちの１つを解放又は保持し、
同時に前記スライド可能な接触部が上方へ又は下方へ移動する、
プローブカバーディスペンサー。
【発明の詳細な説明】
【技術分野】
【０００１】
本発明はプローブカバーディスペンサーの分野に関する。より詳細には本発明は、前記プローブカバーを露出して利用者の体に触れることがないようにするためのプローブカバーディスペンサーの分野に関する。
【背景技術】
【０００２】
耳式体温計は従来技術において既知である。例として、大抵の市販された耳式体温計は、使い捨てのプローブカバーと一緒に用いられるように設計されている。大抵の使い捨てプローブカバーはプローブの端部を覆う。各異なるプローブカバーは、各患者が病気を広める危険性を最小限に抑制するために用いられ、かつ清潔な状態を促進するためにも用いられる。
【０００３】
図１は、ブロック３０がプローブカバー５０を受け取り、かつ分配するように設計されたトレイ１０を有する典型的なプローブカバーディスペンサーを図示している。この例では、プローブカバー５０は、トレイ１０によって画定された長方形のトレイ開口部２０に挿入される。その際、プローブカバー５０の下側が前記トレイに対向している。
【０００４】
プローブカバー５０を利用者の三半規管に挿入するためにプローブ７０に各プローブカバー５０を取り付けるため、利用者はプローブ７０を開口部２０に挿入することができる。利用者は、プローブカバー５０へ向かうようにプローブ７０を下方へ押して、プローブカバー５０を変形及び強化することで、プローブカバーとプローブとの間に摩擦に強い高表面張力を供する。図１に図示された分配トレイ１０を用いる利点は、看護師が、その分配トレイによって、患者に触れる外側プローブカバー表面に触れる又は接触する必要なく、非常に迅速にプローブカバー５０でプローブ７０を覆うことを可能にすることである。
【０００５】
しかし上述のトレイ１０は長時間プローブカバー５０を曝露してしまうことで、カバー自体が使用前に汚染されてしまう。
【０００６】
ここで図２を参照すると、主部１２０を有するディスペンサー１００の斜視断面図が与えられている。ディスペンサーは、内部にプローブカバーの積層体が保存されているプローブカバーチャンバ１４０を有する。チャンバ１４０の上部にはチャンババネ２００が設けられている。バネ２００は、プローブカバーの積層体を、チャンバ１４０の底部に位置するスライド１６０へ向かうように付勢するのに用いられる。バネ２００は、積層体中の上部プローブカバーに寄りかかる圧力板１８０と結合する。図５に図示されているように、スライド２２０は緩和した位置にある。ディスペンサーの主部１２０にマウントされたスライドバネを固定するバネブロックが、スライドにマウントされ、又はその一部として形成されている。そのバネは、緩和した位置となるようにスライド２２０を付勢する。その緩和位置では、スライド２２０のアパーチャ２４０がチャンバ１４０の外側に位置する。アパーチャ２４０はスライド２２０内に形成される。アパーチャの開口部及び深さは、ディスペンサーが供給するプローブを受け取れるサイズである。
【０００７】
記載されたディスペンサーは、プローブカバーを保存し、かつその保存されたプローブカバーを後で利用者が片手で使用できるように保持することが容易にはできない。
【発明の概要】
【発明が解決しようとする課題】
【０００８】
上記に基づくと、設計及び操作方法が複雑ではなく、かつ特に片手での使用が可能な医療器具が必要である。
【課題を解決するための手段】
【０００９】
プローブカバーディスペンサーの典型的実施例は、積層されたプローブカバーを収容する保存部、及び前記積層されたプローブカバーのうちの１つを保持又は解放する一対の支持アームを備えた保持ユニットを有する。スライドが前記保持ユニットに接続する。凸部及び凹部を備えた接続棒が、スライド可能な接触部に接続する。前記接続棒は上方又は下方へ動き、かつ前記凸部又は凹部は、前記スライドに相当する位置へ移動することで、前記の保存部内に積層されたプローブカバーのうちの１つを解放又は保持する前記支持アームを押す又は引く力が印加される。それと同時に前記スライド可能な接触部は上方又は下方へ動く。
【図面の簡単な説明】
【００１０】
【図１】従来技術に係るプローブカバーディスペンサーを図示している。
【図２】従来技術に係るプローブカバーディスペンサーを図示している。
【図３】本発明の典型的実施例によるプローブカバーディスペンサーの概略図である。
【図４】本発明の典型的実施例によるプローブカバーディスペンサーの概略図である。
【図５】本発明の典型的実施例によるプローブカバーディスペンサーの概略図である。
【図６Ａ】保持部の好適実施例を図示している。
【図６Ｂ】保持部の好適実施例を図示している。
【図７Ａ】保持部の別な好適実施例を図示している。
【図７Ｂ】保持部の別な好適実施例を図示している。
【図８】保持部の別な好適実施例を図示している。
【図９Ａ】本発明による接続棒及び保持ユニットのさらなる実施例を図示している。
【図９Ｂ】本発明による接続棒及び保持ユニットのさらなる実施例を図示している。
【図９Ｃ】本発明による接続棒及び保持ユニットのさらなる実施例を図示している。
【図９Ｄ】本発明による接続棒及び保持ユニットのさらなる実施例を図示している。
【図９Ｅ】本発明による接続棒及び保持ユニットのさらなる実施例を図示している。
【発明を実施するための形態】
【００１１】
本発明は、添付図面に表された限定ではない典型的実施例によって説明される。図中、同様の参照番号は同様の素子を表す。
【００１２】
本発明に係るシステム及び方法の様々な態様が記載されている。本発明を完全に理解してもらうため、説明目的で、具体的な構成及び詳細が説明されている。しかし、本発明がこれらの具体的詳細がなくても実施可能であることは、当業者には明らかである。さらに周知の部位は、本発明が曖昧になることを避けるため、省略又は簡略化されている。
【００１３】
図３−５を参照すると、プローブカバーディスペンサー３００の典型的実施例は、作業台を備えた底部基盤３７０を有する。作業台上の格納容器７００は、耳式体温計５００を収容するのに用いられて良い。さらに、底部基盤３７０は概して、図５に図示された緩衝部３１４及び／又は接続部４００の一部を収容する空間を設計する。
【００１４】
プローブカバーを収容する第１開口部３１２を備えたスライド可能な接触部３１０が、底部３７０の第１位置上に設けられている。底部基盤３７０の第２位置上に設けられた第２開口部３３２を下に備えた保存部３３０は積層されたプローブカバー３３４を収容する。
【００１５】
保持部４９０は、たとえばプローブカバー３３４ａのような積層されたプローブカバーのうちの１つを保持する。接続部４００は、スライド可能な接触部３１０と接続する第１接続端部４００ａ、及び保持部４９０と接続する第２接続端部４００ｂを有する。具体的には、スライド可能な接触部３１０の垂直方向に移動することにより、接続部４００は、積層されたプローブカバー３３４ａのうちの１つを解放して、第２開口部３３２から第１開口部３１２へ落とすような保持部４９０の駆動、かつ／又は、保存部３３０内の積層されたプローブカバー３３４ｂのうちの他の１つを保持するような保持部４９０の駆動を行うように誘起されうる。
【００１６】
第１開口部３１２は、第２開口部３３２の下に設けられるか、又は第２開口部３３２から距離をおいて設けられて良い。この場合では、スライドチャネル３５０は第１開口部３１２と第２開口部３３２との間に設けられているので、積層されたプローブカバー３３４ａのうちの１つがスライドチャネル３５０を通って第１開口部３１へ落ち込むことができる。
【００１７】
一例では、緩衝部３１４は、スライド可能な接触部３１が上下移動できるように、スライド可能な接触部３１０と底部基盤３７０との間に設けられて良い。一般的には、緩衝部３１４は、スライド可能な接触部３１０と底部基盤３７０とを接続して緩衝空間を形成するバネであって良い。
【００１８】
図５に図示されているように、保持部４９０は、上部保持ユニット４９２及び下部保持ユニット４９４を有して良い。積層されたプローブカバーは、第１プローブカバー３３４ａ及び第２プローブカバー３３４ｂを有する。スライド可能な接触部３１０が下方に移動することで、接続部４００は、上部保持ユニット４９２が第１プローブカバー３３４ａを解放するような駆動、及び下部保持ユニット４９４が落ちる第１プローブカバー３３４ａを保持するような駆動を行うように誘起されうる。スライド可能な接触部３１０が上方に移動することで、接続部４００は、上部保持ユニット４９２が第１プローブカバー３３４ａを引き続き解放するような駆動、及び下部保持ユニット４９４が別な第２プローブカバー３３４ｂを保持するような駆動を行う一方で、スライド可能な接触部３１０は元の位置に戻ることができるように誘起されうる。
続いて第１プローブカバー３３４ａは第１開口部３１２へ落ち込んで良い。
【００１９】
一の典型的な装置では、制御ボタン４２０が、スライド可能な接触部３１０の側部スペーサ板上に設けられている。制御ボタン４２０を押すことによってスライド可能な接触部３１０は下方へ移動し、スライド可能な接触部３１０は緩衝部３１４によって元の位置に戻されると同時に制御ボタンが解放される。
【００２０】
一の実施例では、利用者は、耳式体温計５００のプローブをスライド可能な接触部３１０の開口部３１２へ直接挿入して良い。よって利用者は、プローブカバー３３４ａへ向かってプローブを直接押すことで、外側プローブカバー表面に触れる又は接触する必要なく、片手で非常に迅速にプローブカバー３３４ａによってプローブを覆うことが可能となる。スライド可能な接触部３１０は緩衝部３１４によって元の位置に戻ることが可能な一方でプローブが取り外される。さらに第２プローブカバー３３４ｂは開口部３１２へ落ち込む。
【００２１】
図５は、本発明によって供される接続部４００の別な実施例を図示している。接続部４００は輪４３０を有する滑車システムであって良い。輪４３０の各々は、その周囲を取り囲む２つのフランジの間に溝を有する。ケーブル４１０は通常、輪４３０の上の溝の内側で動く。滑車は、印加される力の方向を変化させるのに用いられる。たとえばバネ構造のような緩衝部４５０を備えた接続棒４７０は、ケーブル４３０と接続するように設計される。スライド可能な接触部３１０が下方に移動することで、ケーブル４３０が押されて、接続棒４７０が下方に移動する。その後接続棒４７０は緩衝部４５０を介して元の位置に戻る一方で、スライド可能な接触部３１０は解放される。
【００２２】
一例では、接続棒４７０は凸部４７２及び凹部４７４を有する。接続棒４７０が下方に移動することで、凹部４７４が上部保持ユニット４９２に相当する位置へ移動することが可能となり、それにより上部保持ユニット４９２は、引き戻されて、かつ第１プローブカバー３３４ａを解放する。同時に、接続棒４７０が下方に移動することで、凸部４７２が下部保持ユニット４９４に相当する位置へ移動することが可能となり、それにより下部保持ユニット４９４は、押し出されて、かつ第１プローブカバー３３４ａを保持する。対照的に、接続棒４７０が上方に移動することで、凹部４７４が下部保持ユニット４９４に相当する位置へ移動することが可能となり、それにより下部保持ユニット４９４は、引き戻されて、かつ第１プローブカバー３３４ａを解放する。同時に、接続棒４７０が上方に移動することで、凸部４７２が上部保持ユニット４９２に相当する位置へ移動することが可能となり、それにより上部保持ユニット４９２は、押し出されて、かつ第２プローブカバー３３４ａを保持する。
【００２３】
図８は、本発明によって供される接続棒４７０の別な実施例を図示している。接続棒４７０は、凸部４７２ａ及び凹部４７４ａを有するカムシャフトであって良い。凸部４７２ａ及び凹部４７４ａは上部保持ユニット４９２及び下部保持ユニット４９４に相当する位置に移動可能である一方、ケーブル４１０を引っ張ることによってカムシャフト４７０ａの回転運動が誘起される。
【００２４】
図６Ａ−６Ｂは、本発明によって供される接続棒４７０の別な実施例を図示している。上部保持ユニット４９２及び下部保持ユニット４９４はスライド本体を含んで良い。そのスライド本体は、落ちるプローブカバーを保持する凹部４９２ａを有する第１端部、及び可動接続棒４７０と接続する円滑部４９２ｂを有する第２端部を備える。一例では、保持ユニットの第２端部は、摩擦力を減少させながら可動接続棒４７０と接続する回転シャフト４９２ｃを有する。
【００２５】
図７Ａ−７Ｂは、本発明によって供される接続棒８００の別な実施例を図示している。一例では、接続棒８００は、上部保持ユニット４９２と接続する上部外側棒８１０、及び下部保持ユニット４９４と接続する下部外側棒８３０を有する。上部外側棒８１０及び下部外側棒８３０と接続するシャフト８５０は、ケーブルを引っ張ることによって回転可能で、かつ上部外側棒８１０及び下部外側棒８３０の引っ張り戻し又は押し出しを交互に行うことを可能にする。一例では、上部保持ユニット４９２及び下部保持ユニット４９４は、プローブカバーを保持する凹部を備えた棒構造４９６であって良い。特に緩衝部は、棒構造４９６を取り囲むように設計されて良い。
【００２６】
図９Ａ−９Ｅは、本発明によって供される接続棒及び保持ユニットの別な実施例を図示している。一例では、図５に図示された緩衝部４５０−たとえばバネ構造−を備えた接続棒９６０は、ケーブル４１０と接続するように設計される。スライド可能な接触部３１０が下方に移動することで、ケーブル４１０が引っ張り下ろされ、かつ接続棒９６０が下方へ移動することが可能となる。その後接続棒９６０は、緩衝部４５０の弾性力を介して元の位置に戻る一方で、スライド可能な接触部３１０は元の位置に解放される。
【００２７】
図９Ａ−９Ｃを参照すると、上部保持ユニット９９２ａが格納容器９８０のスペーサ板９４１上に設けられる。具体的には上部保持ユニット９９２ａは、スペーサ板９４１上の一対の位置合わせピン９４１ａを挿入するための一対の穴を有する。上部保持ユニット９９２ａは、その前方端部上に一対の支持アーム９９２ｃをさらに有する。
【００２８】
他方上部スライド９２０は、上部保持ユニット９９２ａの後方端部と接続する上部スライド９２０は格納容器９８０内のスペーサ板９４１に沿って可動である。具体的には上部保持ユニット９９２ａは、上部Ｙ字形状接続構造を形成するため、上部スライド９２０上の一対の位置合わせピン９２０ａを挿入するための一対のスリット９２０ｂを有する。一対の上部支持アーム９９２ｃは、上部保持ユニット９９２ａの前方端部から横方向で内側へ向かう方向に延びている。
【００２９】
上部スライド９２０は、たとえばバネのような緩衝部９２２を挿入する空間をさらに有して良い。緩衝部９２２は、スペーサ板９４１の溝９４２へ入り込むように移動し、かつ溝９４２の前方端部によって圧縮されて良い。その一方で上部スライド９２０は格納容器９８０の前方端部へ向かうように移動する。
【００３０】
図９Ａに図示されているように、接続棒９６０は、上側凸部９６４及び該上側凸部９６４の下に位置する凹部９６８を有する。接続棒９８０が下方に移動することで、凸部９６４は上部スライド９２０の拡張部９２６に相当する位置へ移動し、それによって上部スライドを押す力が与えられる。よって上部スライド９２０は、上部保持ユニット９９２ａを前方へ押すように移動し、かつ支持アーム９９２ｃが横方向を外側へ向かうように移動することで積層されたプローブカバーのうちの上側の１つを解放する。対照的に、接続棒９８０が上方に移動することで、凹部９６８は上部スライド９２０の拡張部９２６に相当する位置へ移動し、それによって上部保持ユニット９９２ａは引き戻される。よって支持アーム９９２ｃが横方向を内側へ向かうように移動することで積層されたプローブカバーのうちの上側の他の１つを保持する。
【００３１】
具体的には、上部スライド９２０が、上部保持ユニット９９２ａを押す又は引く力を与えるように前方又は後方に移動する。それにより、一対の上部支持アーム９９２ｃは、横方向を外側に移動することで、積層されたプローブカバーのうちの上方の１つを解放して、上部支持アーム９９２ａから下部支持アーム９９４ａへ落とすか、又は、横方向を内側に移動することで、積層されたプローブカバーのうちの上方の１つを保持する。その一方でスライド可能な接触部３１０は上方又は下方へ移動する。
【００３２】
図９Ａ及び図９Ｄ−９Ｅを参照すると、下部保持ユニット９９４ａが格納容器９８０の底部基盤９４３上に設けられる。具体的には下部保持ユニット９９２ａは、底部基盤９４３上の一対の位置合わせピン９４３ａを挿入する一対の穴を有する。下部保持ユニット９９４ａは、その前方端部上に一対の支持アーム９９２ｃをさらに有する。
【００３３】
他方下部保持ユニット９９４ａの後方端部と接続する下部スライド９４０は格納容器９８０内の底部基盤９４３に沿って可動である。具体的には下部保持ユニット９９４ａは、下部Ｙ字形状接続構造を形成するため、下部スライド９４０上の一対の位置合わせピン９２０ａを挿入するための一対のスリット９２０ｂを有する。一対の上部支持アーム９９２ｃは、下部保持ユニット９９４ａの前方端部から横方向で内側へ向かう方向に延びている。
【００３４】
下部スライド９４０は、たとえばバネのような緩衝部９２２を挿入する空間をさらに有して良い。緩衝部９２２は、底部基盤９４３の溝９４２へ入り込むように移動し、かつ溝９４２の前方端部によって圧縮されて良い。その一方で下部スライド９４０は格納容器９８０の前方端部へ向かうように移動する。
【００３５】
図９Ａに図示されているように、接続棒９６０は、下側凸部９６６及び該下側凸部９６６の上に位置する凹部９６８を有する。
接続棒９６０が上方に移動することで、凸部９６６は下部スライド９４０の拡張部９４４に相当する位置へ移動し、それによって下部スライド９４０を押す力が与えられる。よって下部スライド９４０は、下部保持ユニット９９４ａを前方へ押すように移動し、かつ支持アーム９９２ｃが横方向を外側へ向かうように移動することで積層されたプローブカバーのうちの下側の１つを解放する。対照的に、接続棒９６０が下方に移動することで、凹部９６８は下部スライド９４０の拡張部９４４に相当する位置へ移動し、それによって下部保持ユニット９９４ａは引き戻される。よって支持アーム９９２ｃが横方向を内側へ向かうように移動することで積層されたプローブカバーのうちの下側の他の１つを保持する。
【００３６】
具体的には、下部スライド９４０が、下部保持ユニット９９４ａを押す又は引く力を与えるように前方又は後方に移動する。それにより、一対の上部支持アーム９９２ｃは、横方向を外側に移動することで、積層されたプローブカバーのうちの下方の１つを解放して、図５に図示されている第２開口部３３２から第１開口部３１２へ落とすか、又は、横方向を内側に移動することで、積層されたプローブカバーのうちの下方の１つを保持する。その一方でスライド可能な接触部３１０は上方又は下方へ移動する。
【００３７】
再度図５を参照すると、保存部３３０は、露出していない積層されたプローブカバー３３４を収容するための下部開口部を備えた差し込み可能な管３４２をさらに有する。差し込み可能な管３４２は、中に何も入っていないときには容易に取り外すことができる。一般的には、保存部３３０は、差し込み可能な管３４２を挿入するための第１空間６００ａ、及び該第１空間６００ａに隣接して保持部４９０と接続部４００を収容する第２空間６００ｂを有する。
【符号の説明】
【００３８】
１０  トレイ
２０  開口部
３０  ブロック
５０  プローブカバー
７０  プローブ
１００  ディスペンサー
１２０  主部
１４０  プローブカバーチャンバ
１６０  スライド
１８０  圧力板
２００  バネ
２２０  スライド
２４０  アパーチャ
３００  プローブカバーディスペンサー
３１０  スライド可能な接触部
３１２  第１開口部
３１４  緩衝部
３３０  保存部
３３２  第２開口部
３３４ａ  第１プローブカバー
３３４ｂ  第２プローブカバー
３４２  差し込み可能な管
３５０  スライドチャネル
３７０  底部基盤
４００  接続部
４３０  輪
４７０  接続棒
４７０ａ  カムシャフト
４７２  凸部
４７２ａ  凸部
４７４  凹部
４７４ａ  凹部
４９０  保持部
４９２ａ  凹部
４９２ｂ  円滑部
４９２ｃ  回転シャフト
４９２  上部保持ユニット
４９４  下部保持ユニット
４９６  棒構造
５００  耳式体温計
６００ａ  第１空間
６００ｂ  第２空間
７００  格納容器
８００  接続棒
８１０  上部外側棒
８３０  下部外側棒
８５０  シャフト
９２０  上部スライド
９２０ａ  位置合わせピン
９２０ｂ  スリット
９２２  緩衝部
９４０  下部スライド
９４１  スペーサ板
９４１ａ  位置合わせピン
９４２  溝
９４３  底部基盤
９４３ａ  位置合わせピン
９４４  拡張部
９６０  接続棒
９６４  凸部
９６６  凸部
９６８  凹部
９８０  格納容器
９９２ａ  上部保持ユニット
９９２ｃ  支持アーム
９９４ａ  下部支持アーム
【図１】
2010155069.tif 000003
【図２】
2010155069.tif 000004
【図３】
2010155069.tif 000005
【図４】
2010155069.tif 000006
【図５】
2010155069.tif 000007
【図６Ａ】
2010155069.tif 000008
【図６Ｂ】
2010155069.tif 000009
【図７Ａ】
2010155069.tif 000010
【図７Ｂ】
2010155069.tif 000011
【図８】
2010155069.tif 000012
【図９Ａ】
2010155069.tif 000013
【図９Ｂ】
2010155069.tif 000014
【図９Ｃ】
2010155069.tif 000015
【図９Ｄ】
2010155069.tif 000016
【図９Ｅ】
2010155069.tif 000017
【外国語明細書】
2010155069.tif 000018
2010155069.tif 000019
2010155069.tif 000020
2010155069.tif 000021
2010155069.tif 000022
2010155069.tif 000023
2010155069.tif 000024
2010155069.tif 000025
2010155069.tif 000026
2010155069.tif 000027
2010155069.tif 000028
2010155069.tif 000029
2010155069.tif 000030
2010155069.tif 000031
2010155069.tif 000032
2010155069.tif 000033
2010155069.tif 000034
【図１】
2010155069.tif 000035
【図２】
2010155069.tif 000036
【図３】
2010155069.tif 000037
【図４】
2010155069.tif 000038
【図５】
2010155069.tif 000039
【図６Ａ】
2010155069.tif 000040
【図６Ｂ】
2010155069.tif 000041
【図７Ａ】
2010155069.tif 000042
【図７Ｂ】
2010155069.tif 000043
【図８】
2010155069.tif 000044
【図９Ａ】
2010155069.tif 000045
【図９Ｂ】
2010155069.tif 000046
【図９Ｃ】
2010155069.tif 000047
【図９Ｄ】
2010155069.tif 000048
【図９Ｅ】
2010155069.tif 000049